(57)【特許請求の範囲】
【請求項１】
ドア本体を開閉自在に納めるドア枠体をＲＣ造またはＳＲＣ造の躯体開口部に締結固定してなるドアの取付構造において、
前記躯体開口部の下辺には前記ドア枠体と略同幅の間隔を有して両側にそれぞれモルタルを介し下部下地アングルが設けられ、前記躯体開口部の上辺には前記ドア枠体と略同幅の間隔を有して両側にそれぞれ上部下地アングルが設けられ、
前記ドア枠体を構成する縦枠は上下端近傍にそれぞれ前記上部下地アングル及び下部下地アングルに対して締結固定される固定片を備え、前記縦枠の外周面より外側には外壁パネルが設けられて前記上部下地アングル及び下部下地アングルに対して固定され、
前記外壁パネルは前記縦枠の外周面と対向する面の室内側に切欠部を有し、前記固定片は前記縦枠に固定される枠固定面部と、前記上部下地アングル及び下部下地アングルに対して固定される室内側面部とが断面略Ｌ字状をなすように形成され、前記室内側面部が前記切欠部内に配置されると共に、前記室内側面部が前記外壁パネルの室内面と面一状とされることを特徴とするドアの取付構造。
【請求項２】
前記外壁パネルは前記切欠部として、前記縦枠の外周面と対向する面の室内側が前記縦枠の外周面と離隔するように切り欠かれた段部を有することを特徴とする請求項１記載のドアの取付構造。
【請求項３】
前記外壁パネルの切欠部は、前記縦枠の外周面と対向する面の室内側上下端部が切り欠かれてなることを特徴とする請求項１記載のドアの取付構造。
【請求項４】
前記下部下地アングル及び上部下地アングルはそれぞれ躯体開口部に対する固定面と、該固定面と直交する方向に延びる見付面とで断面略Ｌ字状に形成され、面一状とされる前記固定片の室内側面部及び外壁パネルは前記下部下地アングル及び上部下地アングルの見付面に対して固着されることを特徴とする請求項１〜３のいずれか１項に記載のドアの取付構造。
【発明の詳細な説明】
【技術分野】
【０００１】
本発明は、ドア本体を開閉自在に納めるドア枠体をＲＣ造またはＳＲＣ造の躯体開口部に取付けてなるドアの取付構造に関し、特にドア枠体の左右に外壁パネルを設けたドアの取付構造に関する。
【背景技術】
【０００２】
従来、鉄筋コンクリート（ＲＣ）造や鉄骨鉄筋コンクリート（ＳＲＣ）造の建物躯体に対するドアの取付構造は、躯体開口部の上下辺にそれぞれ下地材を設け、この下地材に対してドア枠体を固定するようにしていた。また、ドア枠体の周囲にはＡＬＣパネルやＰＣパネルからなる外壁パネルが設けられる。外壁パネルも下地材に対して固定される。躯体開口部に下地材を設け、この下地材に対して枠組みされた部材を固定するものとしては、例えば特許文献１に挙げるようなものがある。
【特許文献１】特開平６−２９９７５８号公報
【発明の開示】
【発明が解決しようとする課題】
【０００３】
ドア枠体を下地材に固定する際には、ドア枠体と下地材を連結する固定片が設けられる。固定片は、下地材とドア枠体の縦枠にそれぞれ固定されることにより、両者を連結する。ドア枠体の側方には、外壁パネルが近接して設けられるため、固定片によるドア枠体と下地材との固定は、ドア本体の位置よりも室内側寄りでなされていた。このため、取付構造全体の見込方向寸法が大きくなり、内壁材等と干渉する場合があった。また、固定片の位置において外壁パネルの室内面に設けられる断熱材を挿入しにくいという問題もあった。
【０００４】
本発明は、上記課題を解決すべくなされたものであり、ドア枠体を下地材と固定する構造において見込方向寸法を小さくすることのできるドアの取付構造を提供することを目的とする。
【課題を解決するための手段】
【０００５】
上記課題を解決するため、本発明に係るドアの取付構造は、ドア本体を開閉自在に納めるドア枠体をＲＣ造またはＳＲＣ造の躯体開口部に締結固定してなるドアの取付構造において、
前記躯体開口部の下辺には前記ドア枠体と略同幅の間隔を有して両側にそれぞれモルタルを介し下部下地アングルが設けられ、前記躯体開口部の上辺には前記ドア枠体と略同幅の間隔を有して両側にそれぞれ上部下地アングルが設けられ、
前記ドア枠体を構成する縦枠は上下端近傍にそれぞれ前記上部下地アングル及び下部下地アングルに対して締結固定される固定片を備え、前記縦枠の外周面より外側には外壁パネルが設けられて前記上部下地アングル及び下部下地アングルに対して固定され、
前記外壁パネルは前記縦枠の外周面と対向する面の室内側に切欠部を有し、前記固定片は前記縦枠に固定される枠固定面部と、前記上部下地アングル及び下部下地アングルに対して固定される室内側面部とが断面略Ｌ字状をなすように形成され、前記室内側面部が前記切欠部内に配置されると共に、前記室内側面部が前記外壁パネルの室内面と面一状とされることを特徴として構成されている。
【０００６】
また、本発明に係るドアの取付構造は、前記外壁パネルは前記切欠部として、前記縦枠の外周面と対向する面の室内側が前記縦枠の外周面と離隔するように切り欠かれた段部を有することを特徴として構成されている。
【０００７】
さらに、本発明に係るドアの取付構造は、前記外壁パネルの切欠部は、前記縦枠の外周面と対向する面の室内側上下端部が切り欠かれてなることを特徴として構成されている。
【０００８】
さらにまた、本発明に係るドアの取付構造は、前記下部下地アングル及び上部下地アングルはそれぞれ躯体開口部に対する固定面と、該固定面と直交する方向に延びる見付面とで断面略Ｌ字状に形成され、面一状とされる前記固定片の室内側面部及び外壁パネルは前記下部下地アングル及び上部下地アングルの見付面に対して固着されることを特徴として構成されている。
【発明の効果】
【０００９】
本発明に係るドアの取付構造によれば、外壁パネルは縦枠の外周面と対向する面の室内側に切欠部を有し、固定片の室内側面部が外壁パネルの室内面と略面一状とされることにより、固定片を外壁パネルの切り欠かれた部分に配置して、ドア枠体を下地材と固定する構造において見込方向寸法を小さくすることができる。
【００１０】
また、本発明に係るドアの取付構造によれば、外壁パネルは切欠部として、縦枠の外周面と対向する面の室内側が縦枠の外周面と離隔するように切り欠かれた段部を有することにより、固定片を室内側に張り出させる必要がなく、また外壁パネルの室内面を覆うように断熱材を設ける場合に、これを容易に取付けることができる。
【００１１】
さらに、本発明に係るドアの取付構造によれば、外壁パネルの切欠部は、縦枠の外周面と対向する面の室内側上下端部が切り欠かれてなることにより、外壁パネルの加工を最低限としつつ、固定片を室内側に張り出させる必要がないようにすることができる。
【００１２】
さらにまた、本発明に係るドアの取付構造によれば、各下地アングルはそれぞれ躯体開口部に対する固定面と、固定面と直交する方向に延びる見付面とで断面略Ｌ字状に形成され、面一状とされる固定片の室内側面部及び外壁パネルは各下地アングルの見付面に対して固着されることにより、下地アングルを一直線状に形成して外壁パネルと固定片を固定することができるので、簡易な構造でドア枠体と下地材を固定することができる。ででとを特徴クリートパネルは前記される前記                                                                                                
【発明を実施するための最良の形態】
【００１３】
本発明の実施形態について図面に沿って詳細に説明する。図１には、本実施形態におけるドアが取付けられた躯体開口部Ａの正面図を示している。この図は、躯体開口部Ａを室外側から見た図である。図１に示すように、本実施形態のドアは、躯体開口部Ａに取付けられるドア枠体１内にドア本体２を開閉自在に納めてなるものであり、ドア枠体１の左右両側には、それぞれ外壁パネルとしてＡＬＣパネル３が配置される。ドア枠体１は、上枠１０と下枠１１及び左右の縦枠１２、１２を方形状に枠組みして構成されている。
【００１４】
図２には、ドアが取付けられた躯体開口部の背面図を示している。すなわち、図２は躯体開口部Ａを室内側から見た図である。図２に示すように、躯体開口部Ａの上辺と下辺には、それぞれ上部下地アングル３１と下部下地アングル３０が取付けられており、この上部下地アングル３１及び下部下地アングル３０に対してドア枠体１が固定されている。また、ＡＬＣパネル３も上部下地アングル３１及び下部下地アングル３０に対して固定されている。
【００１５】
躯体開口部Ａに取付けられている下部下地アングル３０は、躯体開口部Ａの下辺に沿って、ドア枠体１と略同幅の間隔を有して両側にそれぞれ設けられており、ドア枠体１の周囲に設けられるＡＬＣパネル３の長さと略同じ長さを有するように形成されている。上部下地アングル３１は、躯体開口部Ａの上辺に沿って、ドア枠体１と略同幅の間隔を有して両側にそれぞれ設けられており、ドア枠体１の周囲に設けられるＡＬＣパネル３の長さと略同じ長さを有するように形成されている。
【００１６】
ドア枠体１の取付構造について更に詳細に説明する。図３にはドア枠体１の固定部分の拡大背面図を、図４にはＡ−Ａ断面図を、それぞれ示している。図３に示すように、ドア枠体１の縦枠１２には、上端部と下端部近傍にそれぞれ固定片２０が固定されており、各固定片２０がそれぞれ上部下地アングル３１と下部下地アングル３０に締結固定されることにより、ドア枠体１が躯体開口部Ａに対して固定されるようにしている。
【００１７】
図４に示すように、上部下地アングル３１は、躯体開口部Ａの内周面に当接する躯体固定面３１ａと、躯体固定面３１ａの室内端部から下方に垂下された見付面３１ｂとで断面略Ｌ字状をなすように形成されている。躯体固定面３１ａは、締結具により躯体開口部Ａに固定される。下部下地アングル３０は、躯体開口部Ａの内周面と対向する固定面３０ａと、固定面３０ａの室内端部から上方に延出された見付面３０ｂとで断面略Ｌ字状をなすように形成されている。固定面３０ａと躯体開口部Ａの間には、モルタル４１が設けられ、締結具により固定面３０ａはモルタル４１を介して躯体開口部Ａに対して固定される。
【００１８】
固定片２０は、縦枠１２の外周面に当接してネジ止め固定される枠固定面部２０ａと、上部下地アングル３１または下部下地アングル３０に当接して締結固定される室内側面部２０ｂとで断面略Ｌ字状をなすように形成されている。縦枠１２の上端部に取付けられた固定片２０は、室内側面部２０ｂが上部下地アングル３１の見付面３１ｂに当接し、ボルトとナットからなる締結具３３により固定される。縦枠１２の下端部近傍に取付けられた固定片２０も、室内側面部２０ｂが下部下地アングル３０の見付面３０ｂに当接し、ボルトとナットからなる締結具３３により固定される。
【００１９】
図５には、ＡＬＣパネル３が取付けられている部分の縦断面図を示している。この図に示すように、ＡＬＣパネル３は上端部において室内面が上部下地アングル３１の見付面３１ｂに当接し、ＡＬＣパネル３にボルト止めされる取付金具３５が上部下地アングル３１の見付面３１ｂに重なり合うことで、ＡＬＣパネル３が上部下地アングル３１に対して固定される。また、ＡＬＣパネル３は下端部において室内面が下部下地アングル３０の見付面３０ｂに当接し、ＡＬＣパネル３にボルト止めされる取付金具３５が下部下地アングル３０の見付面３０ｂに重なり合うことで、ＡＬＣパネル３が下部下地アングル３０に対して固定されると共に、ＡＬＣパネル３の下面はスペーサ３４を介して下部下地アングル３０の固定面３０ａに支持され、締結具により締結固定されている。
【００２０】
図６にはドア枠体１を躯体開口部Ａに取付けた縦断面図を、図７にはドア枠体１を躯体開口部Ａに取付けた横断面図を、それぞれ示している。図６に示すように、ドア枠体１の上枠１０は、躯体開口部Ａの内周面と所定間隔を有して対向し、その間の隙間は目地材４０によって埋められている。目地材４０の室外側には、上枠１０と躯体開口部Ａの間にシール材４６が設けられ、さらに躯体開口部Ａを覆うように外壁材４４が取付けられる。また、上枠１０の室内側には額縁材４３と内壁材４５が設けられて躯体開口部Ａの内周面を覆っている。また、上枠１０の室内面から躯体開口部Ａの内周面に沿うように断熱材４２が設けられる。
【００２１】
ドア枠体１の下枠１１は、躯体開口部Ａの内周面と所定間隔を有して対向し、その間の隙間はモルタル４１で埋められている。下枠１１の下面にはボルトとナットからなる締結具３２が設けられ、その下面は躯体開口部Ａに当接している。これによってドア枠体１の取付時に躯体開口部Ａに対する上下方向のレベル調整を行うことができる。下枠１１と躯体開口部Ａの間に生じる隙間の室外端部には、シール材４６が設けられており、下枠１１の室内側には床材４７が設けられて躯体開口部Ａの内周面を覆っている。
【００２２】
図７に示すように、ドア枠体１の縦枠１２の外周側には、ＡＬＣパネル３が配置されている。ＡＬＣパネル３の縦枠１２に対向する面には、室内側が縦枠１２の外周面と離隔するように切り欠かれた段部３ａが長手方向略全長に渡って形成されており、室外側部分が縦枠１２側に近接するようにされている。ＡＬＣパネル３の縦枠１２に近接した部分と縦枠１２との間には、目地材４０が設けられる。
【００２３】
ＡＬＣパネル３の室外側は外壁材４４で覆われており、この外壁材４４と縦枠１２の外周面との間には、シール材４６が設けられる。目地材４０より室内側には、ＡＬＣパネル３の室内面を覆うように断熱材４２が設けられる。また、縦枠１２の室内側には、額縁材４３及び内壁材４５が設けられる。
【００２４】
縦枠１２に固定される固定片２０は、図７に示すように枠固定面部２０ａが縦枠１２の外周面にネジ止め固定され、枠固定面部２０ａと直交する室内側面部２０ｂがＡＬＣパネル３の段部３ａ内に配置されてＡＬＣパネル３の室内面と面一状となっている。そして、固定片２０の室内側面部２０ｂはＡＬＣパネル３の室内面が固着される下部下地アングル３０の見付面３０ｂに対して締結固定される。
【００２５】
ＡＬＣパネル３に段部３ａが形成されてＡＬＣパネル３の室内部が縦枠１２と離隔するように形成されているので、このように固定片２０をＡＬＣパネル３の室内面と面一状として固定することができる。したがって、固定片２０を室内側に張り出させる必要がなく、簡易な構造でドア枠体１を躯体開口部Ａに対して固定することができる。また、ＡＬＣパネル３の室内面を覆うように設けられる断熱材４２も、固定片２０近傍に関して容易に取付が可能となる。
【００２６】
なお、図７では下部下地アングル３０と固定片２０との固定部分が示されているが、上部下地アングル３１と固定片２０との固定構造も同様であり、上部においても固定片２０の室内側面部２０ｂはＡＬＣパネル３の室内面と面一状となるようにされている。
【００２７】
本実施形態では外壁パネルとしてＡＬＣパネルを用いているが、ＰＣパネルであってもよい。この場合におけるドア枠体１を躯体開口部Ａに取付けた横断面図を図８に示している。図８に示すように、外壁パネルとしてＰＣパネル３を用いた場合、縦枠１２に対向する面には段部は形成されない。一方で、ＰＣパネル３の上下端部には、縦枠１２に対向する面の室内側端部が切り欠かれた切欠部３ｂが形成されている。切欠部３ｂは、固定片２０と下部下地アングル３０または上部下地アングル３１との連結部分を納めることのできる大きさに形成される。このように、縦枠１２に対向する面の上下端部に切欠部３ｂを形成することによっても、固定片２０をＰＣパネル３の室内面と面一状として固定することができる。したがって、固定片２０を室内側に張り出させる必要がなく、簡易な構造でドア枠体１を躯体開口部Ａに対して固定することができる。
【００２８】
以上、本発明の実施形態について説明したが、本発明の適用はこれら実施形態には限られず、その技術的思想の範囲内において様々に適用されうるものである。
【図面の簡単な説明】
【００２９】
【図１】本実施形態におけるドアが取付けられた躯体開口部の正面図である。
【図２】ドアが取付けられた躯体開口部の背面図である。
【図３】ドア枠体の固定部分の拡大背面図である。
【図４】図３のＡ−Ａ断面図である。
【図５】ＡＬＣパネルが取付けられている部分の縦断面図である。
【図６】ドア枠体を躯体開口部に取付けた縦断面図である。
【図７】ドア枠体を躯体開口部に取付けた横断面図である。
【図８】外壁パネルとしてＰＣパネルを用いた場合におけるドア枠体を躯体開口部に取付けた横断面図である。
【符号の説明】
【００３０】
１    ドア枠体
２    ドア本体
３    ＡＬＣパネル
３ａ  段部
１０    上枠
１１    下枠
１２    縦枠
２０    固定片
２０ａ  枠固定面部
２０ｂ  室内側面部
３０    下部下地アングル
３１    上部下地アングル
【図１】
0005306687.tif 000002
【図２】
0005306687.tif 000003
【図３】
0005306687.tif 000004
【図４】
0005306687.tif 000005
【図５】
0005306687.tif 000006
【図６】
0005306687.tif 000007
【図７】
0005306687.tif 000008
【図８】
0005306687.tif 000009